(57)【特許請求の範囲】
【請求項１】
スプールの前壁部の中央にスプール軸支持部を形成し、当該スプール軸支持部を介してスプールを、リール本体に支持されたスプール軸の先端に装着した魚釣用スピニングリールに於て、
前記スプール軸支持部を頂部として、前壁部を、スプールの釣糸巻回胴部に向けてスプール後方へ山形状に傾斜させたことを特徴とする魚釣用スピニングリール。
【請求項２】
前記前壁部の周方向に、複数の貫通孔を設けたことを特徴とする請求項１に記載の魚釣用スピニングリール。
【請求項３】
前記貫通孔間に形成される支柱の断面形状を、スプールの前後動方向に長い略長方形状に形成したことを特徴とする請求項２に記載の魚釣用スピニングリール。
【請求項４】
前記スプールを、筒状部に前側フランジ部が形成された前側円筒部と、当該前側円筒部が取り付くスプール本体とで構成すると共に、
前記前壁部を、前記前側円筒部またはスプール本体に設けたことを特徴とする請求項１乃至請求項３のいずれか１項に記載の魚釣用スピニングリール。
【発明の詳細な説明】
【技術分野】
【０００１】
本発明は魚釣用スピニングリールに係り、詳しくは釣糸が巻回されるスプールに改良を加えた魚釣用スピニングリールに関する。
【背景技術】
【０００２】
従来周知のように魚釣用スピニングリール（以下、「スピニングリール」という）は、ロータに設けた一対の支持アームの先端に、半環状のベールが一対のベール支持部材を介して釣糸巻取り位置と釣糸放出位置とに反転自在に取り付き、スプールに釣糸を案内するラインローラが一方のベール支持部材に装着されている。
そして、ベールを釣糸放出位置に倒して釣竿を勢いよく振り下ろすと、スプールに巻回された釣糸がスパイラル状に解かれて前方へ放出され、また、ハンドルの巻取り操作に伴いベールを釣糸巻取り位置へ反転させると、釣糸がベールからラインローラに案内されて、ハンドルの巻取り操作に連動して前後方向へ往復動するスプールに釣糸が巻回されるようになっている。
【０００３】
而して、スプールは、釣糸を巻回する釣糸巻回胴部と、その前端側に設けられた前側フランジ部（前側鍔部）と、釣糸巻回胴部の後端側に設けられた後側フランジ部（後側鍔部）とで構成されており、特許文献１及び特許文献２に開示されるように、スピニングリールの中でも特に遠投用スピニングリールのスプールは、投擲時の釣糸放出抵抗を軽減して飛距離の向上を図るため、釣糸巻回胴部は浅溝大径状に形成されている。
【特許文献１】実開昭５５−１１４５８５号公報
【特許文献２】実開昭６０−６８９７６号公報
【発明の開示】
【発明が解決しようとする課題】
【０００４】
ところで、従来、この種のスプールは、ハンドルの回転操作に連動して前後方向へ往復動するスプール軸の先端部に取り付けられており、前側フランジ部に近接してスプールの前端位置に形成された前壁部にスプール軸支持部が設けられている。
しかし、前壁部は、スプール軸と直交する平面形態としてスプールの前端位置に形成され、而も、前壁部に形成されたスプール軸支持部は、釣糸巻回胴部の中程に深く位置するようにロータ方向へ突設されているため、ロータとの干渉回避の影響でスプールの大きな前後ストロークを得ることが難しいのが実情であった。
【０００５】
また、上述したように前壁部が、スプール軸と直交する平面形態としてスプールの前端位置に形成されているため、釣糸巻回胴部の十分な強度が得られないという課題が残されていた。
本発明は斯かる実情に鑑み案出されたもので、スプールに改良を加え、スプールの大きな前後ストロークを確保し、併せて釣糸巻回胴部の十分な強度を確保したスピニングリールを提供することを目的とする。
【課題を解決するための手段】
【０００６】
斯かる目的を達成するため、請求項１に係る発明は、スプールの前壁部の中央にスプール軸支持部を形成し、当該スプール軸支持部を介してスプールを、リール本体に支持されたスプール軸の先端に装着したスピニングリールに於て、前記スプール軸支持部を頂部として、前壁部を、スプールの釣糸巻回胴部に向けてスプール後方へ山形状に傾斜させたことを特徴とする。
【０００７】
そして、請求項２に係る発明は、請求項１に記載のスピニングリールに於て、前記前壁部の周方向に、複数の貫通孔を設けたことを特徴とし、請求項３に係る発明は、請求項２に記載のスピニングリールに於て、前記貫通孔間に形成される支柱の断面形状を、スプールの前後動方向に長い略長方形状に形成したことを特徴とする。
更に、請求項４に係る発明は、請求項１乃至請求項３のいずれか１項に記載のスピニングリールに於て、前記スプールを、筒状部に前側フランジ部が形成された前側円筒部と、当該前側円筒部が取り付くスプール本体とで構成すると共に、前記前壁部を、前記前側円筒部またはスプール本体に設けたことを特徴とする。
【発明の効果】
【０００８】
請求項１に係る発明は、中央のスプール軸支持部を頂部として、前壁部を、スプールの釣糸巻回胴部に向けてスプール後方へ山形状に傾斜させたため、スプール軸支持部が後方へ突出することがなく、この結果、スプールの前後方向への往復動時に前壁部がロータと干渉せず、スプールの大きな前後ストロークを得ることができる。
また、請求項２に係る発明によれば、スプールの前後方向への往復動や投擲操作時に、スプール内部の空気の流れが良好となって不必要な空気の抵抗（風圧）が軽減するため、巻取り操作や投擲操作を円滑に行うことができる利点を有する。
【０００９】
そして、請求項３に係る発明によれば、支柱の断面形状をスプールの前後動方向に長い略長方形状に形成したことで、前壁部（支柱）の梁構造によりスプール（釣糸巻回胴部）の十分な強度を確保することができると共に、支柱を斯かる形状とすることで貫通孔を大きく開口できるため、スプールの大幅な軽量化が可能となった。
更に、請求項４に係る発明は、スプールを、スプール本体とこれに取り付く前側円筒部とで構成して、前壁部を前側円筒部またはスプール本体に設けたので、スプール本体の釣糸巻回胴部の十分な強度が確保できると共に、スプール本体と前側円筒部の材料，表面処理等の選択範囲が広がり、強度や外観の仕様設計の自由度が増す利点を有する。
【発明を実施するための最良の形態】
【００１０】
以下、本発明の実施形態を図面に基づいて詳細に説明する。
図１乃至図６は請求項１乃至請求項４に係るスピニングリールの第一実施形態を示し、図１乃至図３に於て、１は軸受を介してリール本体３の前部に回転可能に軸支された中空なフライヤ軸で、その先端にロータ５がナット７で固定されている。また、フライヤ軸１の後端のピニオン９に、ハンドル１１のハンドル軸に固着した駆動歯車１３が噛合しており、ハンドル１１の回転操作が駆動歯車１３，ピニオン９からフライヤ軸１に伝達されてロータ５が回転するようになっている。
【００１１】
そして、ロータ５の基部には、一対の支持アーム１５，１７がリール本体３の前方へ一体に延設されており、両支持アーム１５，１７の先端に、夫々、ベール支持部材１９が釣糸巻取り位置と釣糸放出位置とに反転自在に取り付けられている。そして、両ベール支持部材１９の間に半環状のベール２１が取り付き、一方のベール支持部材１９にラインローラ２３が回転可能に装着されている。
【００１２】
また、図中、２５はフライヤ軸１を挿通してリール本体３に取り付くスプール軸で、スプール軸２５は、その後端部に固着した摺動子２７やトラバースカム軸２９からなるトラバース機構３１により、ハンドル１１の巻取り操作（ロータ５の回転）に連動してリール本体３の前後方向へ往復動するようになっている。
そして、スプール軸２５の先端に螺着した止めねじ（スプール止めキャップ）３３と、当該スプール軸２５に回り止め嵌着したストッパプレート３５とに挟持されて、スプール３７がスプール軸２５の先端側に回り止め嵌合されている。
【００１３】
図４に示すようにスプール３７は、正テーパー形状（前方に向け漸次小径）の釣糸巻回胴部３９と後側フランジ部（後側鍔部）４１が一体成形されたスプール本体４３と、釣糸巻回胴部３９の前部内周に螺着される前側円筒部４５とで構成されており、前側円筒部４５は筒状部４７に前側フランジ部（前側鍔部）４９が一体成形された形状をなし、図２及び図３に示すように筒状部４７の外周のネジ部４７ａが、釣糸巻回胴部３９の前部内周のネジ部３９ａに螺着されている。
【００１４】
そして、スプール本体４３は、従来と同様、アルミニウム等の金属材料で形成されているのに対し、前側円筒部４５はアルミニウムやステンレス鋼等の金属材料で形成されて硬質表面処理が施された良好な外観となっている。
また、図４に示すように筒状部４７の外周には、リング状の消音部材５１を環装する環状溝５３が設けられており、図２の如く釣糸巻回胴部３９の前部内周に筒状部４７を螺着すると、消音部材５１が釣糸巻回胴部３９の前端側内周に圧接するようになっている。
【００１５】
尚、消音部材５１は、スプール３７より固有振動数の小さい部材で、合成ゴムで代表されるエラストマーやプラスチック，シリコン及びウレタン等のゲル材で形成されている。
そして、図２乃至図４に示すようにスプール本体４３に前壁部５５が形成されて、その中央にスプール３７をスプール軸２５に支持するスプール軸支持部５７が設けられているが、前壁部５５は、スプール軸支持部５７を頂部として、釣糸巻回胴部３９の略中央部に向けてスプール３７の後方へ山形状に傾斜して形成されている。
【００１６】
更に、図２乃至図５に示すように前壁部５５には、スプール軸支持部５７を中心として、正面視略三角形状（おむすび形状）の複数の貫通孔６１が周方向に設けられている。そして、図６に示すように各貫通孔６１間に形成される支柱６３の断面形状は、スプール３７の前後動方向に長い略長方形状に形成されている。
その他、図５中、６５はスプール軸支持部５７の中央に設けられたスプール軸２５の挿通孔で、当該挿通孔６５を挿通するスプール軸２５の先端に、既述した止めねじ３３が螺着されている。
【００１７】
本実施形態に係るスピニングリール６７はこのように構成されているから、従来と同様、ベール２１を釣糸放出位置へ倒して釣竿を勢いよく振り下ろすと、スプール３７の釣糸巻回胴部３９に巻回された釣糸がスパイラル状に解かれて前方へ放出され、また、ハンドル１１の巻取り操作に伴いベール２１を釣糸巻取り位置へ反転させると、釣糸がベール２１からラインローラ２３に案内されて、ロータ５の回転に連動して前後方向へ往復動するスプール３７に釣糸が巻回されるが、図２乃至図４に示すように前壁部５５を、スプール軸支持部５７を頂部としてスプール３７の後方へ山形状に傾斜させた所謂「山形状の撫で肩リブ形状」と、図５に示すように前壁部５５に設けた複数の貫通孔６１との有機的結合構成によってスプール３７の内部に空気の通り道ができるため、スプール３７の前後方向への往復動や投擲操作時に、スプール３７内部の空気の流れが良好となって不必要な空気の抵抗（風圧）が軽減する。
【００１８】
また、斯様に前壁部５５をスプール軸支持部５７を頂部としてスプール３７の後方へ山形状に傾斜させた「山形状の撫で肩リブ形状」とすることで、スプール軸支持部５７がロータ５方向へ突出せず、このため、スプール３７の前後方向への往復動時に前壁部５５がロータ５と干渉することがなくなり、スプール３７の大きな前後ストロークが確保される。
更に、図２に示すように前壁部５５と前側円筒部４５との間に大きな空間Ｓができるので、前方から指で挟持して止めねじ３３を回動し易い。
【００１９】
更にまた、各貫通孔６１間に形成される支柱６３の断面形状をスプール３７の前後動方向に長い略長方形状としたため、巻取り操作時等にスプール３７にこじれる方向の力が作用しても、前壁部５５（支柱６３）の梁構造によってスプール３７（釣糸巻回胴部３９）の強度が確保されると共に、支柱６３の断面形状をスプール３７の前後動方向に長い略長方形状に形成することで貫通孔６１を大きく開口できるため、スプール３７の大幅な軽量化が図られることとなる。
【００２０】
以上述べたように、本実施形態によれば、
[1]スプール３７の前後方向への往復動や投擲操作時に、スプール３７内部の空気の流れが良好となって不必要な空気の抵抗（風圧）が軽減するため、巻取り操作や投擲操作を円滑に行うことができ、また、
[2]前壁部５５を「山形状の撫で肩リブ形状」とし、而も、従来と異なりスプール軸支持部５７が後方へ突出しないこともあって、スプール３７の前後方向への往復動時に前壁部５５がロータ５と干渉せず、この結果、スプール３７の大きな前後ストロークを得ることができる。
【００２１】
更に、
[3]支柱６３の断面形状をスプール３７の前後動方向に長い略長方形状に形成したことで、前壁部５５（支柱６３）の梁構造によりスプール３７（釣糸巻回胴部３９）の十分な強度を確保することができると共に、支柱６３を斯かる形状とすることで貫通孔６１を大きく開口できるため、スプール３７の大幅な軽量化が可能となった。
【００２２】
加えて、本実施形態は、
[4]スプール３７を、釣糸巻回胴部３９と後側フランジ部４１が一体成形されたスプール本体４３と、釣糸巻回胴部３９の前部内周に螺着される前側円筒部４５とで構成すると共に、前側円筒部４５を筒状部４７とこれに一体成形された前側フランジ部４９とで構成して、釣糸巻回胴部３９の前部内周に筒状部４７を螺着させたので、十分な釣糸巻回胴部３９の強度が確保でき、而も、スプール本体４３と前側円筒部４５の材料，表面処理等の選択範囲が広がり、強度や外観の仕様設計の自由度が増す利点を有する。
【００２３】
図７は請求項１及び請求項４の第一実施形態に係るスピニングリールに用いるスプールを示し、図１乃至図６の実施形態では、スプール本体４３に設けた前壁部５５に複数の貫通孔６１を設けたが、本実施形態は貫通孔６１を前壁部５５-1から省略したもので、貫通孔６１の有無を除き、前壁部５５-1の外形形状は図１の実施形態と同様で、スプール３７-1は、スプール本体４３-1と前側円筒部４５とで構成され、スプール本体４３-1に設けられた前壁部５５-1は、スプール軸支持部５７を頂部として、釣糸巻回胴部３９の略中央部に向けてスプール３７-1の後方へ山形状に傾斜した「山形状の撫で肩リブ形状」とされている。
【００２４】
尚、その他の構成は図１の実施形態と同様であるので、同一のものには同一符号を付してそれらの説明は省略する。
本実施形態はこのように構成されているから、本実施形態によっても、既述した[2]，[4]の作用効果を得ることが可能で、スプール３７-1の大きな前後ストロークを確保することができると共に、スプール本体４３-1と前側円筒部４５の材料，表面処理等の選択範囲が広がり、強度や外観の仕様設計の自由度が増す利点を有する。
【００２５】
図８は請求項１及び請求項４の第二実施形態に係るスピニングリールに用いるスプールを示し、本実施形態は、スプール３７-2を、正テーパー形状の釣糸巻回胴部３９と図示しない後側フランジ部が一体成形されたスプール本体４３-2と、釣糸巻回胴部３９の前部外周に係合（螺着，接着等で一体化）される前側円筒部４５-1とで構成したもので、前側円筒部４５-1は筒状部４７-1に前側フランジ部４９が一体成形された形状をなし、筒状部４７-1が釣糸巻回胴部３９の前部外周に係合されている。
【００２６】
そして、スプール本体４３-2は図７のスプール本体４３-1と同一構造の前壁部５５-1を有し、中央のスプール軸支持部５７を頂部として、釣糸巻回胴部３９の略中央部に向けてスプール３７-1の後方へ山形状に傾斜した「山形状の撫で肩リブ形状」とされている。
而して、本実施形態によっても、図７の実施形態と同様、所期の目的を達成することが可能で、スプール３７-2の大きな前後ストロークを確保することができると共に、スプール本体４３-2と前側円筒部４５-1の材料，表面処理等の選択範囲が広がり、強度や外観の仕様設計の自由度が増す利点を有する。
【００２９】
図９は請求項１乃至請求項４の第二実施形態に係るスピニングリールに用いるスプールを示し、スプール３７-4は、正テーパー形状の釣糸巻回胴部３９と図示しない後側フランジ部が一体成形されたスプール本体４３-4と、釣糸巻回胴部３９の前部内周に係合（螺着，接着等で一体化）する前側円筒部４５-2とで構成されており、前側円筒部４５-2は筒状部４７-2に前側フランジ部４９が一体成形された形状をなし、筒状部４７-2は釣糸巻回胴部３９の前部内周に係合している。
【００３０】
そして、本実施形態では、前側円筒部４５-2に前壁部５５-3が形成されて、その中央にスプール軸支持部５７が設けられているが、前記前壁部５５と同様、前壁部５５-3は、中央のスプール軸支持部５７を頂部として、釣糸巻回胴部３９の略中央部に対応する筒状部４７-2の端部に向けてスプール３７-4の後方へ山形状に傾斜した「山形状の撫で肩リブ形状」とされている。
更に、前壁部５５-3には、図２の前壁部５５と同様、スプール軸支持部５７を中心に正面視略三角形状の複数の貫通孔６１が周方向に設けられており、各貫通孔６１間に形成される支柱６３の断面形状は、スプール３７-4の前後動方向に長い略長方形状に形成されている。
【００３１】
本実施形態はこのように構成されているから、本実施形態によっても、図１の実施形態と同様、所期の目的を達成することが可能で、既述した[1]〜[4]の作用効果を奏することができる利点を有する。
【図面の簡単な説明】
【００３２】
【図１】請求項１乃至請求項４の第一実施形態に係るスピニングリールの正面図である。
【図２】図１のスピニングリールに用いるスプールの要部切欠き断面図である。
【図３】スプールの要部切欠き断面図である。
【図４】スプールの分解断面図である。
【図５】スプールの正面図である。
【図６】図２のVI−VI線断面図である。
【図７】請求項１及び請求項４の第一実施形態に係るスピニングリールに用いるスプールの要部切欠き断面図である。
【図８】請求項１及び請求項４の第二実施形態に係るスピニングリールに用いるスプールの要部切欠き断面図である。
【図９】請求項１乃至請求項４の第二実施形態に係るスピニングリールに用いるスプールの要部切欠き断面図である。
【符号の説明】
【００３３】
１  フライヤ軸
３  リール本体
５  ロータ
１１  ハンドル
１５，１７  支持アーム
１９  ベール支持部材
２１  ベール
２３  ラインローラ
２５  スプール軸
３１  トラバース機構
３７，３７-1，３７-2，３７-4  スプール
３９  釣糸巻回胴部
４１  後側フランジ部
４３，４３-1，４３-2，４３-4  スプール本体
４５，４５-1，４５-2  前側円筒部
４７，４７-1，４７-2  筒状部
４９  前側フランジ部
５５，５５-1，５５-3  前壁部
５７  スプール軸支持部
６１  貫通孔
６３  支柱
６７  スピニングリール
【図１】
0004579149.tif 000002
【図２】
0004579149.tif 000003
【図３】
0004579149.tif 000004
【図４】
0004579149.tif 000005
【図５】
0004579149.tif 000006
【図６】
0004579149.tif 000007
【図７】
0004579149.tif 000008
【図８】
0004579149.tif 000009
【図９】
0004579149.tif 000010